(57)【要約】【課題】  ケーブル外径が大きくなっても、良好な防水性能を確保する。【解決手段】  端面パッキン３２Ａは、互いに閉じ合わせた時に中空部３４を形成する一対の半部体３５、３６からなり、両半部体３５、３６をケーブルを挟むように上下から閉じ合わせることでケーブルを防水状態で貫通させる。各半部体のケーブル貫通方向の両側壁部４２、４４の中間位置に、側壁面と平行な防水フィン４５、４６、４７、４８を設ける。各防水フィン４５…は、両半部体３５、３６を閉じ合わせた時に、ケーブルに先端部が突き当たってケーブル形状に追随変形し、特にケーブルの左右両側で十分に密着する。両側壁部４２、４４の端縁４２ａ、４４ｂがケーブル外形に良好に追随せず密着不十分となってケーブル両側に隙間が生じても、防水フィン４５…がケーブルの両側の隙間からケーブルを伝って浸入する水を遮断し、十分な防水性能を発揮する。【選択図】  図２３
2006158172.tif 000002
【特許請求の範囲】
【請求項１】
弾性材からなり、互いに閉じ合わせた時に中空部を形成する一対の半部体からなり、かつ、両半部体をケーブルを挟むように閉じ合わせることでケーブルを防水状態で貫通させるケーブル貫通部防水用の端面パッキンであって、
前記各半部体の、前記端面パッキン内部の中間位置には、側壁面と対向する防水フィンをそれぞれ備え、
前記各半部体の防水フィンは、両半部体をケーブルを上下から挟むように閉じ合わせた時に、それぞれケーブルに突き当たってケーブルの左右両側面に巻き付くように追随変形することを特徴とするケーブル貫通部防水用の端面パッキン。
【請求項２】
両半部体をケーブルを上下から挟むように閉じ合わせた時に、各半部体の防水フィンのケーブル貫通方向の位置が互いにずれていることを特徴とする請求項１記載のケーブル貫通部防水用の端面パッキン。
【請求項３】
両半部体をケーブルを上下から挟むように閉じ合わせた時に、各半部体の防水フィンの先端部どうしがケーブル貫通方向から見てケーブルの左右両側で重なって見える形状及び配置であることを特徴とする請求項２記載のケーブル貫通部防水用の端面パッキン。
【請求項４】
ケーブルの接続部を収容するクロージャのケーブル貫通部に配置される端面パッキンに適用されたことを特徴とする請求項１〜３記載のケーブル貫通部防水用の端面パッキン。
【請求項５】
前記一対の半部体は、薄肉ヒンジ部を介して相対的に回転可能に互いに連結されていることを特徴とする請求項１〜４記載のケーブル貫通部防水用の端面パッキン。
【請求項６】
前記各半部体の防水フィンは、半部体の底部から側壁部と平行に立ち上がっていることを特徴とする請求項１〜５記載のケーブル貫通部防水用の端面パッキン。
【請求項７】
前記各半部体の防水フィンとして、ケーブル貫通部中心の両側からそれぞれ立ち上がる一対の防水フィンを設けたことを特徴とする請求項１〜６記載のケーブル貫通部防水用の端面パッキン。
【請求項８】
前記防水フィンの端縁部は、ケーブル貫通部中心側が低くなるようにフィン幅方向に傾斜していることを特徴とする請求項１〜７記載のケーブル貫通部防水用の端面パッキン。
【請求項９】
前記防水フィンの端縁部が、フィン厚み方向に片側傾斜の鋭角の斜面となっていることを特徴とする請求項１〜８記載のケーブル貫通部防水用の端面パッキン。
【請求項１０】
前記各半部体の側壁部の端縁部が、側壁厚み方向に片側傾斜の鋭角の斜面となっていることを特徴とする請求項１〜７記載のケーブル貫通部防水用の端面パッキン。
【発明の詳細な説明】
【技術分野】
【０００１】
この発明は、光ケーブルや電気ケーブルの接続部を収容するクロージャ等に適用して好適なケーブル貫通部防水用の端面パッキンに関する。
【背景技術】
【０００２】
光ケーブルの接続部あるいは電気ケーブルの接続部を開閉可能に収納するクロージャは一般に、接続部を収納する筒状体（いわゆるクロージャスリーブ）の両端に端面部材（いわゆる端面板）を備えた構造であり、ケーブルはこの端面部材を貫通して内部に導入される。端面部材におけるケーブル貫通部には、クロージャ内に水が浸入しないようにゴム状弾性材からなる端面パッキンが設けられ、ケーブルがこの端面パッキンを貫通していることで、クロージャ内に水が浸入することが防止される。図１７、図１８は本発明の端面パッキンを適用する一例としてのクロージャを示したものであるが、このクロージャ２０では、符号２１で示したものが端面パッキンを備えた端面部材である。
【０００３】
この種の従来の端面パッキンとして、図２７、図２８に1本のケーブル１を貫通させる場合として模式的に示した端面パッキン２のように、薄肉ヒンジ部３を介して相対的に回転可能に連結されるとともに箱状をなして互いに閉じ合わせた時に中空部４を形成する一対の半部体５、６からなるものがある。各半部体５、６には、両半部体５、６を閉じ合わせた時にケーブル貫通部７となる薄肉部８、１０を、ケーブル貫通方向の両側壁部１２、１４の端縁１２ａ、１４ａ側に形成している。なお、実際の端面パッキンの各半部体５、６の外形は、通常、底部が平坦で角のある直方体状ではなく、底部が湾曲して角のない丸みを持つ外形である。
【０００４】
上記の端面パッキン２は、ケーブル１のない状態で両半部体５、６を閉じ合わせた時は、各半部体５、６の側壁部１２、１４の端縁１２ａ、１４ａどうしが直接接触して開口のない状態となるが、図２８のように、ケーブル１を貫通させた状態で両半部体５、６を閉じ合わせた時は、各半部体５、６の側壁部１２、１４における薄肉部８、１０がケーブル１の外形に追随して変形して、その端縁１２ａ、１４ａなどがケーブル１の外周に接触し、この接触により、中空部４を挟むケーブル貫通方向両側の側壁部１２、１４でのシール効果が得られて、クロージャの防水が図られることになる。
【特許文献１】特開平９−２７１１３２号
【特許文献２】特開２０００−１７０９１７号
【発明の開示】
【発明が解決しようとする課題】
【０００５】
上記従来の端面パッキン２は、特定のケーブル外径に限定されず異なる外径に対応可能であるが、ケーブル１の径がある程度大きくなると、薄肉部８、１０の変形がケーブル形状に細かく追随しなくなり、例えば図２８に模式的に示したような隙間ａが生じて、防水性能が低下するという問題がある。
【０００６】
本発明は上記従来の欠点を解消するためになされたもので、ケーブル外径が大きくなっても、ケーブル形状に良好に追随して密着して、良好な防水性能を確保できるケーブル貫通部防水用の端面パッキンを提供することを目的とする。
【課題を解決するための手段】
【０００７】
上記課題を解決する請求項１の発明は、弾性材からなり、互いに閉じ合わせた時に中空部を形成する一対の半部体からなり、かつ、両半部体をケーブルを挟むように閉じ合わせることでケーブルを防水状態で貫通させるケーブル貫通部防水用の端面パッキンであって、
前記各半部体の、前記端面パッキン内部の中間位置には、側壁面と対向する防水フィンをそれぞれ備え、
前記各半部体の防水フィンは、両半部体をケーブルを上下から挟むように閉じ合わせた時に、それぞれケーブルに突き当たってケーブルの左右両側面に巻き付くように追随変形することを特徴とする。
【０００８】
請求項２は、請求項１の端面パッキンにおいて、両半部体をケーブルを上下から挟むように閉じ合わせた時に、各半部体の防水フィンのケーブル貫通方向の位置が互いにずれていることを特徴とする。
【０００９】
請求項３は、請求項２の端面パッキンにおいて、両半部体をケーブルを上下から挟むように閉じ合わせた時に、各半部体の防水フィンの先端部どうしがケーブル貫通方向から見てケーブルの左右両側で重なって見える形状及び配置であることを特徴とする。
【００１０】
請求項４は、請求項１〜３の端面パッキンがケーブルの接続部を収容するクロージャのケーブル貫通部に配置される端面パッキンに適用されたことを特徴とする。
【００１１】
請求項５は、請求項１〜４の端面パッキンにおいて、一対の半部体が、薄肉ヒンジ部を介して相対的に回転可能に互いに連結されていることを特徴とする。
【００１２】
請求項６は、請求項１〜５の端面パッキンにおいて、各半部体の防水フィンが、半部体の底部から側壁部と平行に立ち上がっていることを特徴とする。
【００１３】
請求項７は、請求項１〜６の端面パッキンにおいて、各半部体の防水フィンとして、ケーブル貫通部中心の両側からそれぞれ立ち上がる一対の防水フィンを設けたことを特徴とする。
【００１４】
請求項８は、請求項１〜７の端面パッキンにおいて、防水フィンの端縁部が、ケーブル貫通部中心側が低くなるようにフィン幅方向に傾斜していることを特徴とする。
【００１５】
請求項９は、請求項１〜８の端面パッキンにおいて、防水フィンの端縁部が、フィン厚み方向に片側傾斜の鋭角の斜面となっていることを特徴とする。
【００１６】
請求項１０は、請求項１〜９の端面パッキンにおいて、各半部体の側壁部の端縁部が、側壁厚み方向に片側傾斜の鋭角の斜面となっていることを特徴とする。
【発明の効果】
【００１７】
本発明の端面パッキンにおいて、両半部体をケーブルを上下から挟むように閉じ合わせた時、端面パッキンのケーブル貫通方向の両側の側壁部の端縁部がケーブル外形に追随変形してケーブル外周面に接触し防水作用を奏するが、側壁部の端縁部の追随変形が十分でなく密着性が不十分である場合、ケーブルの左右両側面に隙間が生じる。しかし、内部の防水フィンの端縁部がケーブル外周面に巻き付くように追随変形してケーブルの左右両側面に接触するので、側壁部の端縁部が密着不十分でケーブルの両側面部に隙間があっても、ケーブル外周面を伝ってその隙間から浸入する水は、防水フィンによって遮断され、さらに奥に浸入することを防止される。防水フィンで遮断された水は、例えば、端面パッキン内部空間で落下し水抜き穴から外部に排出することができる。このように、防水フィンが側壁部の端縁部による防水性能の不十分さを補う形で、良好な防水性能を発揮する。
この場合、防水フィン自体の剛性はあまり要求されず側壁部より薄くすることができるので、柔軟かつ微妙な変形が可能であり、ケーブル外形に良好に追随して、十分な密着性をもってケーブル外周面の特にケーブル左右側面に接触することができ、良好な防水性能を発揮することができる。
【００１８】
請求項２によれば、各半部体の防水フィンのケーブル貫通方向の位置が互いにずれているので、防水フィンによる水浸入遮断効果が高くなる。
【００１９】
また、請求項３によれば、各半部体の防水フィンの先端部どうしがケーブル貫通方向から見てケーブルの左右両側で重なって見える状態となるので、防水フィンによる水浸入遮断効果がさらに高くなる。
【発明を実施するための最良の形態】
【００２０】
以下、本発明を実施したケーブル貫通部防水用の端面パッキンについて、図面を参照して説明する。
【実施例１】
【００２１】
図１７、図１８は本発明の端面パッキンを適用する対象の一例としての光クロージャ２０を示すもので、この光クロージャ２０は、光ドロップケーブル分岐用の光クロージャである。図１７はクロージャ２０の内部構造を示す正面図、図１８は同平面図である。図１９は図１７の主として端面部材２１の部分の拡大右側面図であるが、端面部材２１としては図１９で表されたものを正面図とする。
これらの図において、２２は連結棒である。この連結棒２２の両端部にケーブル把持金具２３、テンションメンバ把持金具２４、ドロップケーブル把持金具２５がネジで固定される。ケーブル把持金具２３に水平なアーム２７が固定され、このアーム２７に吊り金具２６が固定され、この吊り金具２６によりメッセンジャワイヤ（支持線）２８に吊持される。主ケーブルから取り出した光ファイバ心線と分岐心線（分岐ケーブルの光ファイバ心線又はドロップケーブルの光ファイバ心線）との融着接続部を収納するプラスチック製の心線収納トレイ３０は、前記連結棒２２に取り付けられる。
【００２２】
上記の各部を覆うクロージャスリーブ（筒状体）２９はプラスチック成形品であって、図１９で左右のスリーブ片２９ａ、２９ｂが、上部のヒンジ部２９ｃを中心として下部側が左右に開平可能に連結された構造であり、下端側の爪２９ｄと係止部２９ｅとによる係止構造でロックされるようになっている。このクロージャスリーブ２９の両端の開口部に、当該開口縁に密着して防水を果たす前記の端面部材２１が取り付けられる。
【００２３】
前記端面部材２１は、端面パッキン３２にプラスチックカバーを被せた構造であるが、この端面パッキン３２の一実施例を、1本のケーブルを貫通させる場合として模式的に示した図１〜図９の端面パッキン３２を参照して説明する。
この端面パッキン３２は、ゴム状弾性材からなる互いに平行な側壁部４２、４４をケーブル貫通方向（図１、６、８、９等で紙面と直交する方向）の両側に備えた箱状をなすとともに、互いに閉じ合わせた時に中空部３４を形成する、例えば薄肉ヒンジ部３３を介して相対的に回転可能に連結された一対の半部体３５、３６からなる。各半部体３５、３６には、両半部体３５、３６を閉じ合わせた時にケーブル貫通部３７となる薄肉部３８、４０をケーブル貫通方向の両側壁部４２、４４の端縁４２ａ、４４ａ側に備えている。そして、前記各半部体３５（３６）は、その内部の前記両側壁部４２、４２間（４４、４４間）の中間位置に、半部体３５（３６）の内面から突出して側壁面４２（４４）と対向する防水フィン４５、４６（４７、４８）をそれぞれ備えている。図示の通り、この実施例では、それぞれの半部体３５（３６）に、ケーブル貫通部の左右両側に分離して配される一対の防水フィン４５、４６（４７、４８）を設けている。そして、一方の半部体３５の防水フィン４５、４６と他方の半部体３６の防水フィン４７、４８とは、両半部体３５、３６をケーブルを上下から挟むように閉じ合わせた時に、それぞれケーブルに突き当たってケーブルの左右両側面に巻き付くように追随変形するとともに、一方の半部体３５の防水フィン４５、４６と他方の半部体３６の防水フィン４７、４８との先端部どうしがケーブル貫通方向から見てケーブルの左右両側で重なって見える形状及び配置である。
なお、後述するように、実施例の端面パッキン３２はその薄肉ヒンジ部３３が上になるようにクロージャに設置される。したがって、クロージャには図６、図８、図９では右側が上、左側が下となって設置される。
端面パッキン３２に用いるゴム状弾性材の材質は、対象とするケーブル外径やその他の条件に応じた適度の剛性と適度の柔軟性を持つものを用いるとよいが、例えば、ブタジエンゴムやエチレンプロピレンゴム（特にＥＰＤＭ）等を用いることができる。
【００２４】
実施例の側壁部４２（４４）は、厚肉部４２’（４４’）と、ケーブル貫通部となる薄肉部３８（４０）とからなり、前記薄肉部３８（４０）は、小さな略半円状の最薄肉部３８ａ（４０ａ）と、厚肉部４２’（４４’）の厚みから最薄肉部３８ａ（４０ａ）の厚みへと厚みが外周側から内周側にかけて漸次薄くなる大きな略半円状の漸変薄肉部３８ｂ（４０ｂ）とからなっている。漸変薄肉部３８ｂ（４０ｂ）の外面は円錐面をなしている。
また、側壁部４２（４４）の端縁４２ａ（４４ａ）は、側壁厚み方向（図４、図５で左右方向）に片側傾斜の鋭角の斜面となっている。以下では、この斜面（若しくは斜面部）も、端縁という場合の符号と同じく符号４２ａ（４４ａ）で示す。
この斜面部４２ａ、４４ａは、薄肉部３８（４０）の端縁だけでなく厚肉部４２’（４４’）の端縁にも形成されており、そして、この端縁すなわち斜面部４２ａ（４４ａ）の基部の厚みは最薄肉部３８ａ（４０ａ）の厚みと同じで、かつ、左右の側壁部４２（４４）のそれぞれ外面側に形成されているので、上面から見た形は図２に示すように、折れ曲がった形状となっている。
また、実施例では両側の側壁部４２（４４）の斜面４２ａ（４４ａ）の傾斜方向は同じ向きである（但し、反対向きであってもよい）。なお、一方の半部体３５の側壁部４２の斜面４２ａの傾斜方向と、他方の半部体３６の側壁部４４の斜面４４ａの傾斜方向とは、閉じ合わせた時に互いに斜面どうしが密接する傾斜方向である（図７参照）。
また、各半部体３５、３６の薄肉ヒンジ部３３と反対側の壁部の端縁部には切欠き３５ｂ、３６ｂを形成している。
【００２５】
前記の各半部体３５（３６）におけるそれぞれ２つの防水フィン４５、４６（４７、４８）は、ケーブル貫通部中心Ｃの両側から立ち上がって対をなしており、かつ、それぞれの一対の防水フィン４５、４６（４７、４８）は、その端縁（図１、図３〜図５などでは上縁部）が、ケーブル貫通部中心Ｃ側が低くなるようにフィン幅方向に傾斜しており、かつ、各防水フィン４５、４６（４７、４８）は、フィン厚み方向（図４、図５で左右方向）に片側傾斜の鋭角の斜面４５ａ、４６ａ（４７ａ、４８ａ）となっている。
また、一方の半部体３５の防水フィン４５、４６の位置と他方の半部体３６の防水フィン４７、４８の位置とは、図７に示すように両半部体３５、３６を閉じ合わせた時に、一方の半部体３５における防水フィン４５、４６と他方の半部体３６における防水フィン４７、４８とが、ケーブル貫通方向（図７で左右方向）に間隔をおいて並ぶような位置関係にある。
【００２６】
上記の端面パッキン３２は、ケーブル１のない状態で両半部体３５、３６を閉じ合わせた時は、図７に示すように、各半部体３５、３６のケーブル貫通方向両側の側壁部４２、４４の端縁すなわち斜面４２ａ、４４ａどうしが直接接触して開口のない状態となる。
ケーブル１を貫通させた状態で両半部体３５、３６を閉じ合わせた時は、図８に示すように、各半部体３５、３６の側壁部４２、４４における薄肉部３８、４０がケーブル１の外形に追随して変形して、その端縁すなわち斜面部４２ａ、４４ａがケーブル１の外周に接触する。この接触により、中空部３４を挟むケーブル貫通方向両側の側壁部４２、４４での一応の防水性能が得られる。しかし、この場合、薄肉部３８、４０がケーブル外形に良好に追随変形せずに、図８でケーブル１の左右側面側（実際にクロージャに設置された状態ではケーブル上下端面側となる）に隙間ａが生じる場合がある。
しかし、図９に示すように、内部の防水フィン４５、４６（４７、４８）が、ケーブル１の外形に追随して変形して、その端縁すなわち斜面部４５ａ、４６ａ（４７ａ、４８ａ）がケーブル外周面に巻き付くように追随変形してケーブル１の左右両側面に接触する。この防水フィン４５、４６（４７、４８）は、半部体３５（３６）の底部から立ち上がった形状で高さが十分あるので、かつ、防水フィン４５、４６（４７、４８）自体の剛性はあまり要求されず側壁部４２、４４より薄くすることができるので、柔軟かつ微妙な変形が可能であり、ケーブル外形に良好に追随して、ケーブル外周面の特にケーブル左右側面に十分な密着性をもって接触することができる。
また、両半部体３５、３６の防水フィン４５、４６（４７、４８）は、その先端部どうしがケーブル貫通方向から見てケーブル１の左右両側で重なって見える状態となる。したがって、側壁部３５、３６の端縁部が密着不十分でケーブル１の両側面部に隙間があっても、ケーブル外周面を伝ってその隙間から浸入する水は、防水フィン４５、４６（４７、４８）によって遮断され、さらに奥に浸入することを防止される。
上記のように、端面パッキン３２における側壁部４２、４４の薄肉部３８、４０の追随変形が十分でなく密着性が不十分で、ケーブル１の左右側面部分に隙間が生じる場合でも、内部の防水フィン４５、４６、４７、４８がケーブル外形に追随して変形して、その端縁部（斜面部４５ａ、４６ａ（４７ａ、４８ａ））がケーブル外周面の特にケーブル左右側面近傍に接触するので、側壁部４２（４４）での防水性能の不完全さを補うことができ、端面パッキン３２として高い防水性能を発揮できる。
なお、端面パッキン３２は、クロージャに薄肉ヒンジ部３３側を上にして設置されるので、切欠き３５ｂ、３６ｂは両半部体３５、３６を閉じ合わせた時に下部の開口となり、仮に中空部３４内に水が浸入しても、これを直ちに排出することができ、中空部３４内に水が溜まることはない。
【実施例２】
【００２７】
上記実施例では、各半部体３５、３６の側壁部４２、４４の端縁４２ａ、４４ａを、図４、図５、図７等に示すように片側傾斜の鋭角の斜面としているので、柔軟性が高くケーブル外形に良好に追随するが、必ずしも斜面としなくてもよい。すなわち、図１０（イ）に示した側壁部４２、４４の端縁４２ａ、４４ａのように平坦であってもよい。また、図１０（ロ）に示した側壁部４２、４４のように、薄肉部や厚肉部のない均一厚みのものであってもよい。この場合、側壁部４２、４４の厚みは、ケーブル外形に柔軟に追随できるように適度に薄くすることが望ましい。
【００２８】
防水フィン４５、４６、４７、４８の端縁についても、図４のように片側傾斜の斜面とすると、柔軟性が高くケーブル外形に良好に追随するので好ましいが、図１１に示した防水フィン４５、４６、４７、４８の端縁４５ａ、４６ａ、４７ａ、４８ａのように平坦であってもよい。
【００２９】
防水フィン４５、４６、４７、４８の端縁のケーブル貫通方向から見た形状は、図１のように、ケーブル貫通部中心Ｃ側が低くなるように傾斜した形状であると、ケーブル外形に良好に追随する上で好ましいが、必ずしも傾斜している必要はなく、図１２に示した防水フィン４５、４６、４７、４８の端縁４５ａ、４６ａ、４７ａ、４８ａのように、水平（側壁部４２、４４の端縁と平行）であってもよい。
【００３０】
上述の実施例では、防水フィン４５、４６、４７、４８が、図１、図４等に示すように、半部体３５、３６の底部３５ａ、３６ａから立ち上がっているので、高さをかせぐことができ、ケーブル外形に追随する上で良好な柔軟性が得られるが、必ずしも底部３５ａ、３６ａから立ち上がっている必要はなく、例えば図１３に示した防水フィン４５、４６、４７、４８のように、半部体３５、３６の内面のケーブル貫通方向と直交する方向の壁部３５ｃ、３６ｃから斜め上向きに突出する形状であってもよい。この場合、防水フィン４５、４６、４７、４８の端縁４５ａ、４６ａ、４７ａ、４８ａの傾斜を急にすることができ、ケーブルの左右側面に密着させる上で好都合である。
また、上述では端面パッキン３２の全体を一種類の素材で成形するものとして説明したが、防水フィン４５、４６、４７、４８の部分だけを他の部分より柔軟な素材（ヤング率の低い素材）とすることもできる。この場合はいわゆる２色成形となる。
【００３１】
上述の実施例では各半部体３５（３６）にそれぞれ左右対称の２つの防水フィン４５、４６（４７、４８）を設けたが、図１４に示した防水フィン４５’（４７’）のように、ケーブル貫通部の両側の部分が一体連続する左右対称形状の１つの防水フィン４５’（４７’）とすることもできる。
【００３２】
上述した端面パッキン３２の各半部体３５、３６は、直方体状の箱形のものとして図示したが、通常は、各半部体３５、３６の外形は、図１５に示すように、ケーブル貫通方向から見て底部側に丸みを持つ形状である。要するに、各半部体３５、３６は、互いに平行な側壁部をケーブル貫通方向両側に備えた略箱状をなして、互いに閉じ合わせた時に中空部を形成するものであればよい。
【００３３】
また、実施例では、両半部体３５、３６は薄肉ヒンジ部３３を介して一体連結されているが、両半部体３５、３６どうしの結合状態は、これに限らず種々設計変更可能である。例えば、図１６（イ）に要部を示したように、両半部体３５、３６を別体として、一方の半部体３６に形成した爪３６ｄと他方の半部体３５に形成した引っ掛け部３５ｄとを互いに係合させる構造としてもよいし、また、図１６（ロ）に示すように、一方の半部体３５に形成した凹所３５ｅに他方の半部体３６に形成した凸部３６ｅを単に嵌合させる構造としてもよいし、さらには、図１６（ハ）に示すように、一方の半部体３５の平坦な端面３５ｆと他方の半部体３６の平坦な端面３６ｆとを単に接触させる構造としてもよい。この場合でも、端面パッキン３２にプラスチックカバーを被せることで、両半部体３５、３６を互いに密着させて保持できる。
【実施例３】
【００３４】
上述の実施例では、実際に使用される端面パッキンの形状とやや異なる模式的な図面により説明したが、図１９〜図２６に、実際に使用される形状、構造に即した実施例の端面パッキン３２Ａを示す。この端面パッキン３２Ａは、図１７、図１８に示したクロージャ２０における端面部材２１に用いられるものである。
前記端面部材２１は、図１９〜図２１に示すように、ゴム製の端面パッキン３２Ａに、その形状に合わせたプラスチックカバー３１を被せた構造である。この実施例の端面パッキン３２Ａは、ケーブル貫通部防水構造５１だけでなく、ドロップケーブル５０を防水状態で貫通させるためのドロップケーブル貫通部防水構造５２も一体に設けた構造である。端面パッキン３２Ａの材質は、例えばブタジエンゴムやエチレンプロピレンゴム（特にＥＰＤＭ）等を用いるとよい。
【００３５】
この実施例の端面パッキン３２Ａにおけるケーブル貫通部防水構造５１の部分は、基本構造としては、図１〜図９の実施例で説明した端面パッキン３２と同じであるが、この端面パッキン３２Ａでは、２つのケーブル貫通部を備え、かつ、アーム２７を防水状態で貫通させるアーム貫通部５３を備えている。なお、図１〜図９の端面パッキン３２と同様な部分には同じ符号を付して説明を簡略化する。
この端面パッキン３２Ａは、薄肉ヒンジ部３３を介して相対的に回転可能に連結されるとともに略箱状をなして互いに閉じ合わせた時に中空部３４を形成する一対の半部体３５、３６からなる。各半部体３５、３６には、両半部体３５、３６を閉じ合わせた時にケーブル貫通部３７となる薄肉部３８、４０をケーブル貫通方向の両側壁部４２、４４の端縁４２ａ、４４ａ側に備えている。この実施例では２つのケーブル貫通部を持つので、薄肉部３８、４０を各半部体３５、３６のそれぞれ２箇所（図２２等で上下に間隔をあけた２箇所）に設けている。
そして、前記両側壁部４２、４４の薄肉部３８、４０間の中間位置に側壁面と平行な防水フィン４５、４６、４７、４８を備えている。各防水フィン４５、４６、４７、４８は、半部体３５、３６内の底部３５ａ、３６ａから立ち上がった形状をなして、両半部体３５、３６を閉じ合わせた時に、ケーブルに先端部が突き当たってケーブル形状に追随して変形するとともに、一方の半部体３５の防水フィン４５、４６と他方の半部体３６の防水フィン４７、４８との先端部どうしがケーブル貫通方向から見てケーブルの両側（図２２では上下両側）で重なって見える形状及び配置である。また、図示のように、端面パッキン３２Ａの各半部体３５、３６の外形は丸みを持つ外形である。また、各半部体３５、３６の底部３５ａ、３６ａはフラットでなく、各ケーブル貫通部毎に円筒面をなしている（したがって、各防水フィン４５、４６、４７、４８は円筒面から立ち上がっている）。
なお、図１９、図２０に示す通り、端面パッキン３２Ａはその薄肉ヒンジ部３３が上になるようにクロージャに設置される。
【００３６】
前記側壁部４２（４４）は、厚肉部４２’（４４’）と、ケーブル貫通部３７となる薄肉部３８（４０）とからなり、前記薄肉部３８（４０）は、小さな略半円状の最薄肉部３８ａ（４０ａ）と、厚肉部４２’（４４’）の厚みから最薄肉部３８ａ（４０ａ）の厚みへと厚みが外周側から内周側にかけて漸次薄くなる大きな略半円状の漸変薄肉部３８ｂ（４０ｂ）とからなっている。漸変薄肉部３８ｂ（４０ｂ）の外面は円錐面をなしている。
また、側壁部４２（４４）の端縁４２ａ（４４ａ）は、側壁厚み方向（図２５で左右方向）に片側傾斜の鋭角の斜面となっている。以下では、この斜面（若しくは斜面部）も、端縁という場合の符号と同じく符号４２ａ（４４ａ）で示す。
この斜面部４２ａ、４４ａは、薄肉部３８（４０）の端縁だけでなく厚肉部４２’（４４’）の端縁にも形成されており、そして、この端縁すなわち斜面部４２ａ（４４ａ）の基部の厚みは最薄肉部３８ａ（４０ａ）の厚みと同じで、かつ、左右の側壁部４２（４４）のそれぞれ外面側に形成されているので、上面から見た形は図２４に示すように、折れ曲がった形状（ハッチングして示す）となっている。
また、実施例では両側の側壁部４２（４４）の斜面４２ａ（４４ａ）の傾斜方向は同じ向きである（但し、反対向きであってもよい）。なお、一方の半部体３５の側壁部４２の斜面４２ａの傾斜方向と、他方の半部体３６の側壁部４４の斜面４４ａの傾斜方向とは、閉じ合わせた時に互いに斜面どうしが密接する傾斜方向である（図２６参照）。
また、各半部体３５、３６の薄肉ヒンジ部３３と反対側の壁部の端縁部には切欠き３５ｂ、３６ｂを形成している。
【００３７】
前記の各半部体３５（３６）における各ケーブル貫通部毎のそれぞれ２つの防水フィン４５、４６（４７、４８）は、ケーブル貫通部中心の両側から立ち上がって対をなしており、かつ、それぞれの1対の防水フィン４５、４６（４７、４８）は、その端縁（図２３では上縁部）が、ケーブル貫通部中心側が低くなるようにフィン幅方向に傾斜しており、かつ、各防水フィン４５、４６（４７、４８）は、フィン厚み方向（図２５で左右方向）に片側傾斜の鋭角の斜面４５ａ、４６ａ（４７ａ、４８ａ）となっている。
また、一方の半部体３５の防水フィン４５、４６の位置と他方の半部体３６の防水フィン４７、４８の位置とは、図２６に示すように両半部体３５、３６を閉じ合わせた時に、一方の半部体３５における防水フィン４５、４６と他方の半部体３６における防水フィン４７、４８とが、ケーブル貫通方向（図２６で左右方向）に間隔をおいて並ぶような位置関係にある。
【００３８】
前記ドロップケーブル貫通部防水構造５２について説明すると、図２５、図２６等にも示すように、他方の半部体３６の背面から２枚の板状部５５が延出している（なお、図２０、図２１では板状部５５の先端を若干薄くしたものとして示されている）。そして、この板状部５５に複数のドロップケーブル貫通用の薄肉部５６を形成し、各薄肉部５６にドロップケーブル貫通用の小孔５７をあけている。図１９に示すように、ドロップケーブル５０をこの小孔５７に貫通させることで、クロージャ内に防水状態で導入することができる。
【００３９】
上記の端面パッキン３２Ａは、ケーブル１のない状態で両半部体３５、３６を閉じ合わせた時は、図２０、図２２、図２６等に示すように、各半部体３５、３６のケーブル貫通方向両側の側壁部４２、４４の端縁すなわち斜面４２ａ、４４ａどうしが直接接触して開口のない状態となる。
図１９のようにケーブル１を貫通させた状態で両半部体３５、３６を閉じ合わせた時は、実施例１の図８と同様に、各半部体３５、３６の側壁部４２、４４における薄肉部３８、４０がケーブル１の外形に追随して変形して、その端縁すなわち斜面部４２ａ、４４ａがケーブル１の外周に接触する。この接触により、中空部３４を挟むケーブル貫通方向両側の側壁部４２、４４での一応の防水性能が得られる。しかし、この場合、薄肉部３８、４０がケーブル外形に良好に追随変形せずに、図１９でケーブル１の上下端面側に隙間が生じる場合がある。
しかし、実施例１の図９と同様に、内部の防水フィン４５、４６（４７、４８）が、ケーブル１の外形に追随して変形して、その端縁すなわち斜面部４５ａ、４６ａ（４７ａ、４８ａ）がケーブル１の外周面、特にケーブル１の図１９で上下端面に接触する。この防水フィン４５、４６（４７、４８）は、半部体３５（３６）の底部から立ち上がった形状であり高さが十分あるので、かつ、防水フィン４５、４６（４７、４８）自体の剛性はあまり要求されず側壁部４２、４４より薄くすることができるので、柔軟かつ微妙な変形が可能であり、ケーブル外形に良好に追随して、ケーブル外周面の特に図１９のケーブル上下端面に十分な密着性をもって接触することができ、良好な防水性能を発揮することができる。
また、両半部体３５、３６の防水フィン４５、４６（４７、４８）は、その先端部どうしがケーブル貫通方向から見てケーブル１の図１９の上下両側で重なって見える状態となる。したがって、側壁部３５、３６の端縁部が密着不十分でケーブル１の図１９の上下両側に隙間があっても、ケーブル外周面を伝ってその隙間から浸入する水は、防水フィン４５、４６（４７、４８）によって遮断され、さらに奥に浸入することを防止される。
上記のように、端面パッキン３２Ａにおける側壁部４２、４４の薄肉部３８、４０の追随変形が十分でなく密着性が不十分で、ケーブル１の図１９で上下端面部分に隙間が生じる場合でも、内部の防水フィン４５、４６、４７、４８がケーブル外形に追随して変形して、その端縁部（斜面部４５ａ、４６ａ（４７ａ、４８ａ））がケーブル外周面の特に図１９でケーブル上下端面近傍に接触するので、側壁部４２（４４）での防水性能の不完全さを補うことができ、端面パッキン３２Ａとして高い防水性能を発揮できる。
なお、端面パッキン３２Ａは、クロージャに薄肉ヒンジ部３３側を上にして設置されるので、切欠き３５ｂ、３６ｂは両半部体３５、３６を閉じ合わせた時に下部の開口となり、仮に中空部３４内に水が浸入しても、これを直ちに排出することができ、中空部３４内に水が溜まることはない。
【００４０】
図１９〜図２６で説明した端面パッキン３２Ａは、ドロップケーブル貫通部防水構造５２も一体に形成しているが、その部分５２は必ずしもなくてもよい。また、この端面パッキン３２Ａは、２箇所のケーブル貫通部３７を有して２本のケーブル１を導入可能な構造であるが、ケーブル貫通部が１箇所のみでもよいし、また３箇所以上でもよい。ケーブル貫通部が２箇所以上の場合に、各ケーブル貫通部の薄肉部の広さをケーブル貫通部毎に変えてもよい。
また、上述の実施例は光ケーブル用のクロージャに適用する場合として説明したが、電気ケーブル用のクロージャにも当然適用できる。さらには、必ずしもケーブル接続部を収容するクロージャに限らず、ケーブルを防水状態で貫通させる必要のある種々の箇所に適用することができる。
【図面の簡単な説明】
【００４１】
【図１】本発明のクロージャにおける端面パッキンの基本構造を説明するもので、端面パッキンの両半部体を開いた状態で示した正面図である。
【図２】図１の端面パッキンの平面図である。
【図３】図１の端面パッキンの一方の半部体のみを示した斜視図である。
【図４】図２のＡ−Ａ断面図である。
【図５】図２のＢ−Ｂ断面図である。
【図６】図１の端面パッキンを閉じ合わせた状態で示した正面図である。
【図７】図６のＣ−Ｃ断面図である。
【図８】端面パッキンにケーブルを貫通させた状態で示した図７のＤ−Ｄ断面図である。
【図９】端面パッキンにケーブルを貫通させた状態で示した図７のＥ−Ｅ断面図である。
【図１０】半部体の側壁部の端縁部の断面形状についての他の実施例を示すもので、図４に対応する図である。
【図１１】防水フィンの端縁部の断面形状についての他の実施例を示すもので、図４に対応する図である。
【図１２】防水フィンの端縁部のケーブル貫通方向から見た形状についての他の実施例を示すもので、図１に対応する簡略化図である。
【図１３】防水フィンを立ち上げる箇所についての他の実施例を示すもので、図１に対応する簡略化図である。
【図１４】防水フィンの他の実施例を示すもので、図１に対応する簡略化図である。
【図１５】半部体のケーブル貫通方向からみた外面輪郭形状についての他の実施例を示すもので、図１に対応する簡略化図である。
【図１６】（イ）、（ロ）、（ハ）は、一対の半部体の結合の仕方についてのそれぞれ異なる実施例を示すもので、図８のＨ部に対応する図である。
【図１７】本発明の端面パッキンを光クロージャに適用した実施例を説明するためのもので、光クロージャの内部構造を示す正面図である。
【図１８】図１７の光クロージャの平面図である。
【図１９】図１７の主として端面部材の部分の拡大右側面図である（ただし、端面部材としては図１９で表された向きを正面図とする）。
【図２０】図１９の端面部材の斜視図である。
【図２１】図２０の端面部材の平面図である。
【図２２】図１７〜図２１の端面部材における外枠内の端面パッキンの正面図である。
【図２３】図２２の端面パッキンの開いた状態で内側から見た斜視図である。
【図２４】図２２の端面パッキンのさらに開いた状態で内側から見た平面図である。
【図２５】（イ）は図２４のＦ−Ｆ断面図、（ロ）は同Ｇ−Ｇ断面図である。
【図２６】図２２のＨ−Ｈ断面図である（但し図２５（イ）と同じ向きで示している（図２２の左側が図２６の上側））。
【図２７】従来の端面パッキンを模式的に示した斜視図である。
【図２８】図２７の端面パッキンを閉じ合わせかつケーブルを貫通させた状態で示した断面図である。
【符号の説明】
【００４２】
２０  光クロージャ
２１  端面部材
２２  連結棒
２３  ケーブル把持金具
２４  テンションメンバ把持金具
２５  ドロップケーブル把持金具
２６  吊り金具
２７  アーム
２８  メッセンジャワイヤ（支持線）
２９  クロージャスリーブ（筒状体）
２９ａ、２９ｂ  スリーブ片
２９ｃ  ヒンジ部
２９ｄ  爪
２９ｅ  係止部
３０  心線収納トレイ
３１  プラスチックカバー
３２、３２Ａ  端面パッキン
３３  薄肉ヒンジ部
３４  中空部
３５、３６  半部体
３５ａ、３６ａ  底部
３５ｂ、３６ｂ  切欠き
３７  ケーブル貫通部
３８、４０  薄肉部
３８ａ、４０ａ  最薄肉部
３８ｂ、４０ｂ  漸変薄肉部
４２、４４  側壁部
４２ａ、４４ａ  側壁部の端縁
４５、４６、４７、４８  防水フィン
４５ａ、４６ａ、４７ａ、４８ａ  防水フィンの端縁
５０  光ドロップケーブル
５１  ケーブル貫通部防水構造
５２  ドロップケーブル貫通部防水構造
５３  アーム貫通部
５５  板状部
５６  薄肉部
５７  （ドロップケーブル貫通用の）小孔
【図１】
2006158172.tif 000003
【図２】
2006158172.tif 000004
【図３】
2006158172.tif 000005
【図４】
2006158172.tif 000006
【図５】
2006158172.tif 000007
【図６】
2006158172.tif 000008
【図７】
2006158172.tif 000009
【図８】
2006158172.tif 000010
【図９】
2006158172.tif 000011
【図１０】
2006158172.tif 000012
【図１１】
2006158172.tif 000013
【図１２】
2006158172.tif 000014
【図１３】
2006158172.tif 000015
【図１４】
2006158172.tif 000016
【図１５】
2006158172.tif 000017
【図１６】
2006158172.tif 000018
【図１７】
2006158172.tif 000019
【図１８】
2006158172.tif 000020
【図１９】
2006158172.tif 000021
【図２０】
2006158172.tif 000022
【図２１】
2006158172.tif 000023
【図２２】
2006158172.tif 000024
【図２３】
2006158172.tif 000025
【図２４】
2006158172.tif 000026
【図２５】
2006158172.tif 000027
【図２６】
2006158172.tif 000028
【図２７】
2006158172.tif 000029
【図２８】
2006158172.tif 000030